(57)【要約】 【課題】増幅器の出力端子の静電保護と、増幅器の出力電力検出の機能を有しかつ、面積を縮小化することのできる電力増幅器を提供する。【解決手段】高周波信号を増幅する増幅器と、前記増幅器の出力端子の静電保護を行う静電保護手段とを備え、前記静電保護手段は、前記増幅器の出力電力を検出する検出手段を有することにより、電力検出手段を別に設けることなく前記増幅器の出力電力を検出することができるため、電力増幅器の面積を縮小化することができる。【選択図】図１
2008078699.tif 000002
【特許請求の範囲】
【請求項１】
高周波信号を増幅する増幅器と、
前記増幅器の出力端子の静電保護を行う静電保護手段とを備え、
前記静電保護手段は、前記増幅器の出力電力を検出する検出手段を有することを特徴とする電力増幅器。
【請求項２】
前記静電保護手段は、ダイオードより構成されていることを特徴とする請求項１記載の電力増幅器。
【請求項３】
前記ダイオードは、静電保護手段と前記増幅器の出力信号を検出する検出手段とで共用されることを特徴とする請求項１または２記載の電力増幅器。
【発明の詳細な説明】
【技術分野】
【０００１】
本発明は、電力増幅器に関し、特に増幅器の出力端子の静電保護手段が増幅器の出力信号を検出する機能を備える電力増幅器に関する。
【背景技術】
【０００２】
従来の電力増幅器は、例えば図５に示すようなものがある。
【０００３】
図５の電力増幅器１は、増幅器２と、増幅器２の出力端子の静電保護を行う静電保護用ダイオード１０と、増幅器２の出力電力を取り出す結合用のコンデンサ９と、コンデンサ９を介して入力される増幅器２の出力電力を検出する電力検出用ダイオード１１と、電力検出用ダイオード１１のバイアス電流を決める抵抗５と、電力検出用ダイオード１１の検出出力を整流し、検出電圧に変換する抵抗６、コンデンサ７を有している。この構成により、増幅器２の出力端子の静電保護及び出力電力を検出することができる。
【０００４】
なお、この出願の発明に関する先行技術文献情報としては、例えば特許文献１が知られている。
【特許文献１】特開２００４−７２５６６号公報
【発明の開示】
【発明が解決しようとする課題】
【０００５】
従来の電力増幅器は、増幅器の出力端子の静電保護用のダイオードと、増幅器の出力電力検出用ダイオードを別々に設ける構成となっている。そのため、電力増幅器の面積が増大する問題がある。
【０００６】
本発明は、増幅器の出力端子の静電保護と、増幅器の出力電力検出の機能を有しかつ、面積を縮小化することのできる電力増幅器を提供することを目的とする。
【課題を解決するための手段】
【０００７】
本発明の電力増幅器は、高周波信号を増幅する増幅器と、前記増幅器の出力端子の静電保護を行う静電保護手段とを備え、前記静電保護手段は、前記増幅器の出力電力を検出する検出手段を有する。
【発明の効果】
【０００８】
本発明の電力増幅器は、増幅器の出力端子の静電保護手段が増幅器の出力信号を検出する機能を備えることにより、電力検出手段を別に設けることなく増幅器の出力電力を検出することができるため、電力増幅器の面積を縮小化することができる。
【発明を実施するための最良の形態】
【０００９】
以下本発明を実施するための最良の形態について、図面を参照しながら説明する。
【００１０】
（実施の形態１）
本発明の実施の形態１における電力増幅器について、図１〜図２を参照しながら説明する。
【００１１】
図１は、本発明の実施の形態１における電力増幅器のブロック図であり、図２は、図１の各ブロックを構成する素子で示した回路図である。
【００１２】
図１に示すように、電力増幅器１は、高周波信号を増幅する増幅器２と、増幅器の出力端子の静電保護を行う静電保護手段３とを有している。静電保護手段３は、電力増幅器１の出力に静電気が印加されたとき、静電気をグランドに逃がし増幅器２の出力端子の静電保護を行う。また、静電保護手段３は、増幅器２の出力電力の検出を行い、検出結果を出力する。
【００１３】
図２は、図１で示した電力増幅器１の各ブロックを構成する素子で示した図である。
【００１４】
静電保護手段３は、ダイオード４と、抵抗５、抵抗６、コンデンサ７より構成される。ダイオード４は、電力増幅器１の出力端子に印加される静電気に応じて任意に段数を変更することにより、静電耐圧を任意に変更することができる。
【００１５】
また、ダイオード４の任意段のアノードに電源を印加し、カソードを抵抗５に接続し、抵抗５の他方をグランドに接続し、ダイオード４の任意段のバイアス電流を決定する。ダイオード４の任意段で増幅器２の出力電力を検出し、抵抗６とコンデンサ７によりダイオード４の検出出力を整流し、検出電圧を出力する。
【００１６】
この構成により、電力増幅器１は、増幅器２の出力端子の静電保護手段３が増幅器の出力信号を検出する機能を備えることができ、電力検出手段を別に設けることなく増幅器２の電力を検出することができるため、電力増幅器１の面積を縮小化することができる。
【００１７】
（実施の形態２）
図３は、本発明の実施の形態２における図２で示した静電保護手段の別の構成を示した図である。図３において、図２と同じ構成要素については、同じ符号を用い、説明を省略する。
【００１８】
図３において、図３の右上に示すように増幅器２の出力電力を検出するダイオードをダイオード４の２段目、３段目・・・ｎ段目と任意に変更することができる。また、図３の右下に示すように増幅器２の出力電力を検出に用いるダイオードの段数を１段、２段・・・ｎ段と任意に変更することもできる。
【００１９】
この構成により、増幅器２の出力電力が変化しても検出出力のダイナミックレンジを一定に保つことができる。また、検出出力を任意に変更することもできる。
【００２０】
（実施の形態３）
図４は、本発明の実施の形態３における図２で示した電力増幅器１の内部回路をＭＭＩＣ(Monolithic Microwave IC)化した図である。
【００２１】
図４において、電力増幅器１を構成する内部回路をＭＭＩＣ８化する構成としている。この構成により、電力増幅器１の面積のさらなる縮小化を図ることができる。
【産業上の利用可能性】
【００２２】
本発明にかかる電力増幅器は、増幅器の出力端子の静電保護手段が増幅器の出力信号を検出する機能を備えることにより、電力検出手段を別に設けることなく増幅器の電力を検出することができるため、電力増幅器の面積を縮小化することができる電力増幅器として有用である。
【図面の簡単な説明】
【００２３】
【図１】本発明の実施の形態１における電力増幅器のブロック図
【図２】本発明の実施の形態１における電力増幅器の回路図（１）
【図３】本発明の実施の形態２における電力増幅器の回路図（２）
【図４】本発明の実施の形態３における電力増幅器の回路図（３）
【図５】従来の電力増幅器の回路図
【符号の説明】
【００２４】
１  電力増幅器
２  増幅器
３  静電保護手段
４  ダイオード
５、６  抵抗
７、９  コンデンサ
８  ＭＭＩＣ
１０  静電保護用ダイオード
１１  電力検出用ダイオード
【図１】
2008078699.tif 000003
【図２】
2008078699.tif 000004
【図３】
2008078699.tif 000005
【図４】
2008078699.tif 000006
【図５】
2008078699.tif 000007